(57)【要約】　　　（修正有）【課題】ペットが水を飲むときに、順調に水分を流出させてペットに十分な水を与えることができ、容器に孔を開ける必要がないペット用給水器の提供。【解決手段】給水管を具え、給水管の上端にコネクタが設けられて、コネクタが容器下方に接合され、容器内に水分が収容され、給水管内にビーズが置かれ、ビーズが給水管内を移動可能とされ、並びにビーズが給水管の末端出口を塞ぐことができるペット用給水器において、給水管内に所定の長さの引水ロッドが置かれ、引水ロッドがビーズの上方に位置し、引水ロッドがビーズの上への移動に伴い上に移動し、容器内の水分を順調に導流し、給水管より流出させる。【選択図】　　　　図２
0003099003.tif 000002
【実用新案登録請求の範囲】
【請求項１】
　給水管を具え、該給水管の上端にコネクタが設けられ、該コネクタが容器下方に分離可能に接合され、該容器内に水が収容され、該給水管内にビーズが設置され、該ビーズが給水管内を移動可能とされ、並びにビーズが給水管の末端出口を塞ぐことができるペット用給水器において、該給水管内に所定の長さの引水ロッドが置かれ、該引水ロッドがビーズの上方に位置し、引水ロッドがビーズの上への移動に伴い上に移動し、容器内の水分を順調に導出し、給水管より流出させることを特徴とする、ペット用給水器。
【請求項２】
　請求項１記載のペット用給水器において、引水ロッドの上端がコネクタと給水管の接合部分まで延伸されたことを特徴とする、ペット用給水器。
【考案の詳細な説明】
【技術分野】
【０００１】
　本考案は一種のペット用給水器に係り、更に詳しくは、容器内の飲用水を順調に流出させることができるペット用給水器に関するものである。
【背景技術】
【０００２】
　周知のとおり、ペットの飼育には飲食用の設備、例えば餌や水を入れるための碗や給水容器等が必要である。給水容器は給水管をペットが舐めることにより水を与えるもので、周囲の環境を汚さず、水が地面に飛び散らないため、広く使用されている。
【０００３】
　図１は周知の給水容器であり、それは、ペットボトルを容器１とし、容器１の瓶口２にコネクタ３が螺合され、該コネクタ３の下方に給水管４が斜めに設置され、給水管４の末端にビーズ５が設置され、勝つ給水管４の末端の口径がやや縮小されるか或いは内部に止水リングが置かれ、ビーズ５による止水に供され、該ビーズ５の上方にさらにウエイト６が置かれてビーズ５を押すのに供されてビーズ５を、ペットが舐められた後に、自然に下に移動させる。
【０００４】
　容器１が満水の時、ペットが給水管４の末端を舐めてビーズ５を上に移動させると、ビーズ５が給水管４を塞がないために水が自然に流出し、ペットによる飲用に供される。ビーズ５が下がって再び給水管４を塞ぐと、水はそれ以上流出しない。こうしてペットに水を与えると共に、周囲の環境を衛生的に保持する。
【０００５】
　しかし、このようなペット用給水器の給水管４は、ペットが数口飲んだ後、順調に出水しなくなる状況が発生する。その原因は、給水管４の管径が大きくなく、空気が給水管４内に進入して水の流れを妨げ、容器１内の水分を流出させにくくすることにある。このために容器１内が万巣８位であっても、ペットが十分に水を飲めない状態が発生する。
【０００６】
　もし容器１の上端に孔をあけると、給水管４より水が順調に流出するが、水を容器１に入れる時に、孔から漏水し、非常に不便である。
【考案の開示】
【考案が解決しようとする課題】
【０００７】
　本考案は一種のペット用給水器を提供することを目的とし、それはペットが水を飲む時に、順調に水分を流出させてペットに十分な水を与えることができ、容器に孔を開ける必要がないものとする。
【課題を解決するための手段】
【０００８】
　請求項１の考案は、給水管を具え、該給水管の上端にコネクタが設けられ、該コネクタが容器下方に分離可能に接合され、該容器内に水が収容され、該給水管内にビーズが設置され、該ビーズが給水管内を移動可能とされ、並びにビーズが給水管の末端出口を塞ぐことができるペット用給水器において、該給水管内に所定の長さの引水ロッドが置かれ、該引水ロッドがビーズの上方に位置し、引水ロッドがビーズの上への移動に伴い上に移動し、容器内の水分を順調に導出し、給水管より流出させることを特徴とする、ペット用給水器としている。
　請求項２の考案は、請求項１記載のペット用給水器において、引水ロッドの上端がコネクタと給水管の接合部分まで延伸されたことを特徴とする、ペット用給水器としている。
【考案の効果】
【０００９】
　本考案のペット用給水器は、ペットが水を飲む時に、順調に水分を流出させてペットに十分な水を与えることができ、容器に孔を開ける必要がない。
【考案を実施するための最良の形態】
【００１０】
　本考案は、給水管を具え、該給水管の上端にコネクタが設けられ、該コネクタが容器下方に分離可能に接合され、該容器内に水が収容され、該給水管内にビーズが設置され、該ビーズが給水管内を移動可能とされ、並びにビーズが給水管の末端出口を塞ぐことができるペット用給水器において、該給水管内に所定の長さの引水ロッドが置かれ、該引水ロッドがビーズの上方に位置し、引水ロッドがビーズの上への移動に伴い上に移動し、容器内の水分を順調に導出し、給水管より流出させることを特徴とする。
【実施例１】
【００１１】
　本考案のペット用給水器の構造は、図２、３、５に示されるように、給水管１０、コネクタ１１、引水ロッド１２及びビーズ１３を具えている。該コネクタ１１は瓶蓋に類似し、内壁に雌ネジ１１１を具え、該雌ネジ１１１が容器２０の瓶口２１の雄ネジ２２と螺合され、該コネクタ１１の下方が給水管１０とされ、該給水管１０内は中空とされ、給水管１０内に引水ロッド１２とビーズ１３が置かれている。給水管１０の末端の出口１０１の口径は収束し（或いは別に止水リングが置かれる）、該ビーズ１３が出口１０１を塞ぐことができ、該引水ロッド１２はビーズ１３の上への移動を受けて活動し、且つ引水ロッド１２の長さがビーズ１３の上方からコネクタ１１の下方までの長さとされ、引水ロッド１２の上端がコネクタ１１と給水管１０の接合部分に至る。該給水管１０は斜めに設置され、ビーズ１３、引水ロッド１２が重力により自然に下降している。
【００１２】
　上述の組み合わせにより、本考案のペット用給水器が構成される。図３、４に示されるように、容器２０内が満水とされ、さらにコネクタ１１と容器２０の瓶口２１が組み合わされた後、容器２０が逆さにされ、給水管１０の出口１０１が下向きとされる。ペットが下で給水管１０のビーズ１３を舐める時、ビーズ１３が押されて上に移動し、並びに引水ロッド１２が連帯して上に移動する。該引水ロッド１２の上端はもともとコネクタ１１の下方にあったものが、これにより上に移動してコネクタ１１内に至り、容器２０の瓶口２１の口径と給水管１０の内径の接合する界面が、引水ロッド１２により突破され、容器２０内の水分が給水管１０の出口１０１より流出し、引水ロッド１２の上への移動が接合界面を突破して液体を攪乱することにより、空気が速やかに容器２０内に進入し、従来の技術における、容器内が密閉式であるたに空気の進入が順調でなくなり水の流出を妨げる問題を解消する。
【００１３】
　該引水ロッド１２の長さは通常瓶口２１（或いはコネクタ１１）と給水管１０の接合部分に達するものとされ、引水ロッド１２の長さが給水管１０の中段位置とはならないものとされ、引水ロッド１２が接合部分の水界面に到達できない状態を防止する。即ち、もし給水管１０の中段位置までの長さとすると、引水ロッド１２のある部分の水分のみが流出し、残りの部分が仮性真空状態となり、給水管１０の上半部及び容器内に水が対流し、水分が流出不能となり、ペットがビーズ１３を舐めても水が流出しなくなるためである。ゆえに、引水ロッド１２の長さの最良の位置は、給水管１０と瓶口２１の接合部分とされる。
【００１４】
　ペットがビーズ１３を舐めないときは、重力の影響を受けるため、ビーズ１３と引水ロッド１２が自然に下降し、給水管１０の出口１０１を塞ぎ、水分を流出させない。こうしてビーズ１３の上への移動と下降の反復動作により、ペットに十分な飲料水を与えることができる。
【００１５】
　本考案において増設された引水ロッド１２は、容器２０に孔をあけて空気を流入させて気圧を平衡とする必要がなく、また、容器２０を加圧するための設備を必要とせずに、順調に水分を流出させられる。周知のウエイト６は、図１に示されるように、小ロッド体とされてビーズ５を押す作用を有するが、水界面を突破する作用はなく、本考案の目的、機能とは全く異なり、従来のものにウエイト６の長さが比較的長いものもあるが、いずれも給水管と瓶口の接合部分にまで到達しておらず、水界面を突破する作用を有していない。
【００１６】
　総合すると、本考案のペット用給水器は、新規性、実用性を有している。
【図面の簡単な説明】
【００１７】
【図１】周知のペット用給水器の断面図である。
【図２】本考案のペット用給水器の分解斜視図である。
【図３】本考案のペット用給水器の断面図である。
【図４】本考案のペット用給水器の動作表示断面図である。
【図５】本考案のペット用給水器の外観斜視図である。
【符号の説明】
【００１８】
１０　給水管
１０１　出口
１１　コネクタ
１１１　雌ネジ
１２　引水ロッド
１３　ビーズ
２０　容器
２１　瓶口
２２　雄ネジ
【図１】
0003099003.tif 000003
【図２】
0003099003.tif 000004
【図３】
0003099003.tif 000005
【図４】
0003099003.tif 000006
【図５】
0003099003.tif 000007